【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
体内流体をガスで富化するためのシステムであって、
患者から体内流体を送るためのポンプシステム（24）と、
体内流体を受取るように前記ポンプシステム（24）に作動的に結合され、ガス富化体内流体を形成するために体内流体とガスを組み合わせるガス富化装置と、
ガス富化体内流体中の気泡を検出する気泡検出器（74）と、
前記ポンプシステム（24）及び前記ガス富化装置を自動的に制御するコントローラ（28）と、を有し、
前記ガス富化装置は、包囲体(26)内に配置される使い捨てカートリッジを有し、この使い捨てカートリッジは、
ハウジング（16）と、
ガス富化生理的流体を形成するために前記ハウジング（16）内に設けられた富化装置と、
前記ハウジング（16）内に設けられ、ガス富化体内流体を形成するためにガス富化生理的流体と体内流体を混合させる混合装置と、
生理的流体を前記富化装置に供給するために前記ハウジング（16）内に設けられた流体供給装置と、
前記ハウジング（16）内に設けられた弁組立体と、を有し、この弁組立体は、前記流体供給装置と前記富化装置との間の生理的流体の流量を制御すると共に前記富化装置と前記混合装置との間のガス富化生理的流体の流量を制御する弁を有することを特徴とするシステム。
【請求項２】
前記ポンプシステム（24）は、体内流体用の管（34）を通してポンピングするポンプ（40）と、前記管（34）の中を通る体内流体の流量を検出する流量計（46）と、を有し、前記流量計（46）は、前記管（34）の中を通る流量と相関した実際の流量信号を発生させ、前記コントローラ（28）は、前記ポンプ（40）及び前記流量計（46）に作動的に結合され、実際の流量信号を受け取り、前記ポンプ（40）を、前記管（34）の中を通る所望の流量を維持するように制御する、請求項１に記載のシステム。
【請求項３】
前記ポンプは蠕動ポンプ（40）を有する、請求項２に記載のシステム。
【請求項４】
前記流量計（46）は、前記管（34）に作動的に結合された流量変換器（４８）を有し、この流量変換器（48）は、前記管（34）の中を通る流量と相関した流量信号を流量計（46）に送る、請求項２又は３に記載のシステム。
【請求項５】
更に、前記ポンプ（40）に作動的に結合され、前記管（34）の中を通る所望の流量を設定する流量設定装置を有する、請求項２〜４の何れか１項に記載のシステム。
【請求項６】
前記流量設定装置は、所望の流量を表示するディスプレイ（32）と、このディスプレイ（32）によって表示された所望の流量を調整するように前記ディスプレイ（32）に作動的に結合された、ユーザが作動可能な入力装置と、を有する請求項５に記載のシステム。
【請求項７】
前記流量設定装置は、所望の流量を記憶し、所望の流量信号を前記コントローラ（28）に送るようになっているメモリを搭載したパーソナリティモジュールを有する、請求項５に記載のシステム。
【請求項８】
前記パーソナリティモジュールにより記憶された所望の流量は所望の流量範囲を有する、請求項７に記載のシステム。
【請求項９】
前記富化装置は、ガスをガス入口から受入れるように構成された霧化チャンバ（62）と、この霧化チャンバ（62）内に設けられた霧化器（216）と、を有し、前記霧化器（216）は、生理的流体を受入れ、生理的流体を前記霧化チャンバ（62）内に送出するとき、ガス富化生理的流体を形成するために生理的流体を霧化する、請求項１〜８の何れか１項に記載のシステム。
【請求項１０】
前記混合装置は、流体入口及び流体出口を備えた混合チャンバ（64）と、この混合チャンバ（64）の流体入口と所定の関係をなして前記混合チャンバ（62）内に設けられた流体送出装置と、を有し、前記流体送出装置は、ガス富化体内流体を形成するために、ガス富化生理的流体を前記霧化チャンバ（62）から受入れ、ガス富化流体を前記混合チャンバ（64）内に送出し、混合チャンバ（64）の流体入口から前記混合チャンバ（64）に入る体内流体とガス富化生理的流体とを混合させる、請求項１〜９の何れか１項に記載のシステム。
【請求項１１】
流体供給装置は、流体入口及び流体出口を備えた流体供給チャンバ（58）と、この流体供給チャンバ（58）内に設けられ、生理的流体を前記流体供給チャンバ（58）の流体入口から前記流体供給チャンバ（58）に引入れ、生理的流体を流体供給チャンバ（58）の流体出口から前記富化装置内に送出するポンプ（24）と、を有する請求項１〜１０の何れか１項に記載のシステム。
【請求項１２】
前記包囲体は、前記使い捨てカートリッジを受入れるように寸法決めされた受入れチャンバと、前記富化装置内の流体レベルを測定するための第１のレベルセンサと、前記混合装置内の低流体レベルを測定するための第２のレベルセンサと、前記混合装置内の高流体レベルを測定するための第３のレベルセンサと、を有する請求項１〜１１の何れか１項に記載のシステム。
【請求項１３】
前記包囲体（26）は、前記使い捨てカートリッジを受入れるよう寸法決めされた受入れチャンバと、前記弁組立体の弁を作動させる弁作動組立体と、を有する請求項１〜１２の何れか１項に記載のシステム。
【請求項１４】
前記包囲体（26）は、前記使い捨てカートリッジを前記包囲体（26）内に固定するロック（340）を備えたドア（304）を有する、請求項１〜１３の何れか１項に記載のシステム。
【請求項１５】
前記気泡検出器（74）は、
送信変換器（1040）及び受信変換器（1042）を有し、流体流れ中の気泡を検出するように位置決め可能な超音波変換器の対（1040，1042）と、
前記送信変換器（1040）がパルス化超音波信号を流体流れを横切って前記受信変換器（1042）に送るように前記送信変換器（1040）に作動的に結合された変換器ドライバ（1018）と、
前記受信変換器（1042）からパルス化超音波信号を受取るように前記受信変換器（1042）に作動的に結合され、調整信号を生じさせるようにパルス化超音波信号を調整する信号調整器（1024）と、
調整信号を受取るよう前記信号調整器（1024）に作動的に結合され、調整信号に応答して、流体流れ中の気泡と相関関係にある情報を決定する信号プロセッサ（1000）と、を有する請求項１〜１４の何れか１項に記載のシステム。
【請求項１６】
前記送信変換器（1040）によって送られるパルス化超音波信号は、周波数範囲が３ＭＨｚ〜４ＭＨｚであり、パルスレートが約３ＫＨｚ〜４０ＫＨｚである、請求項１５に記載のシステム。
【請求項１７】
前記信号調整器（1024）は、前記受信変換器（1042）によって受取られたパルス化超音波信号の超音波エネルギの量を検出する検出器を有する、請求項１５又は１６に記載のシステム。
【請求項１８】
前記信号調整器（1024）は、前記検出器によって検出された超音波エネルギの量をディジタル信号に変換するアナログ−ディジタル変換器（1006）を有する、請求項１５〜１７の何れか１項に記載のシステム。
【請求項１９】
前記信号プロセッサ（1000）は、多数のディジタル信号を保持するバッファ（１０３０）を有する、請求項１５〜１８の何れか１項に記載のシステム。
【請求項２０】
前に記録されたディジタル信号又は前に記録されたディジタル信号の平均と比較したディジタル信号の減少は、流体流れ中の気泡（1044）と相関関係がある、請求項１９に記載のシステム。
【請求項２１】
前記信号プロセッサ（1000）はディジタル信号プロセッサ（1000）を有する、請求項１５〜２０の何れか１項に記載のシステム。
【請求項２２】
前記ディジタル信号プロセッサ（1000）は、流体流れ中の各気泡を検出してカウントするようになっている、請求項２１に記載のシステム。
【請求項２３】
前記ディジタル信号プロセッサ（1000）は、前記流体流れ中の各気泡の容積を決定する、請求項２１又は２２に記載のシステム。
【請求項２４】
前記ディジタル信号プロセッサ（1000）は、流体流れ中の各気泡の容積を、各気泡が患者（38）に到達したときの各気泡の容積に変換する、請求項２３に記載のシステム。
【請求項２５】
前記ディジタル信号プロセッサ（1000）は、所与の期間にわたって蓄積された流体流れ中の気泡の容積を決定する、請求項２１〜２４の何れか１項に記載のシステム。
【請求項２６】
前記信号プロセッサ（1000）は、所定限度を超える気泡の蓄積容積に応答して、停止信号を開始させ、この停止信号は、制御器（28）に送られ、前記制御器（28）がポンプシステム及びガス富化装置の作動を停止させる、請求項２５に記載のシステム。
【請求項２７】
前記コントローラは、
前記ポンプシステム（24）をモニタするよう構成され、前記ポンプシステム（24）の作動と相関した少なくとも１つの第１の信号を送る第１のセンサ組立体と、
前記ガス富化装置をモニタするよう構成され、前記ガス富化装置の作動と相関した少なくとも１つの第２の信号を送る第２のセンサ組立体と、
少なくとも１つの第１の信号及び少なくとも１つの第２の信号を受取るように前記第１のセンサ組立体及び前記第２のセンサ組立体に作動的に結合された信号プロセッサ（1000）と、を有し、
前記信号プロセッサ（1000）は、少なくとも１つの第１の信号に応答して少なくとも１つのポンプシステム制御信号を送り、前記ポンプシステム（24）は、前記信号プロセッサ（1000）からの少なくとも１つのポンプシステム制御信号の受取りに応答して前記ポンプシステムの作動を調整し、前記信号プロセッサ（1000）は、少なくとも１つの第２の信号に応答して、少なくとも１つのガス富化制御信号を送り、前記コントローラは、前記信号プロセッサ（1000）からの少なくとも１つのガス富化信号の受取りに応答して、前記ガス富化装置の作動を調整するよう構成された作動組立体を更に有する請求項１〜２６の何れか１項に記載のシステム。
【請求項２８】
前記第１のセンサ組立体は、体内流体を搬送する管に作動的に結合された流量変換器を有し、前記少なくとも１つの第１の信号は、前記流量変換器から送られた流量信号を含み、この流量信号は、前記管の中を通る流量と相関している請求項２７に記載のシステム。
【請求項２９】
前記信号プロセッサ（1000）は、前記流量信号を受取り、前記管の中を通る流量と前記所望の流量範囲とを比較する比較装置を有する請求項２８に記載のシステム。
【請求項３０】
前記信号プロセッサ（1000）は、前記管の中を通る流量が前記所望の流量範囲内にあることを指示する流量信号に応答して、イネーブル信号を前記ポンプシステム（24）に送る請求項２９に記載のシステム。
【請求項３１】
前記信号プロセッサ（1000）は、前記管の中を通る流量が前記所望の流量範囲の外にあることを指示する流量信号に応答して、ディスエーブル信号を前記ポンプシステム（24）に送る、請求項２９に記載のシステム。
【請求項３２】
更に、前記管（34）の引出し側に作動的に結合された第１のクランプ（78）と、
前記管（34）の戻り側に作動的に結合された第２のクランプ（80）と、を有し、
前記信号プロセッサ（1000）は、前記所望の流量範囲の外にある流量信号に応答して、前記第１のクランプ（78）及び前記第２のクランプ（80）を閉じる、請求項２９〜３１の何れか１項に記載のシステム。
【請求項３３】
前記第２のセンサ組立体は、前記流体供給装置により供給される生理的流体を測定するための変換器と、前記富化装置内の流体レベルを測定するための第１のレベルセンサと、前記混合装置内の低流量レベルを測定するための第２のレベルセンサと、前記混合装置内の高流体レベルを測定するための第３のレベルセンサと、を有し、
前記作動組立体は、前記包囲体（26）内に設けられ且つ前記弁組立体の弁を作動させる弁作動組立体を有する、請求項２７〜３２の何れか１項に記載のシステム。